(57)【要約】【課題】  画像に関連付ける音声メモの確認方法を簡単にする。【解決手段】  シャッター押下時、またはシャッター半押し時に音声メモを再生する。  シャッター半押し時に所定の操作によって画像に関連付ける音声メモを選択できるようにする。【選択図】  図２
2006157327.tif 000002
【特許請求の範囲】
【請求項１】
撮像を指示する撮像指示部の操作を検出する検出手段と、
前記検出手段で検出した撮像指示部の押下に基づいて、撮像した画像に関連付ける音声データを再生する再生手段と、
前記画像を前記音声データと関連付けて記憶する記憶手段とを備えたことを特徴とする撮像記録装置。
【請求項２】
前記撮像指示部は、ボタン形状をしたシャッターボタンであることを特徴とする請求項１記載の撮像記録装置。
【請求項３】
前記再生手段は、シャッター音の代わりに前記音声データの再生を行うことを特徴とする請求項２に記載の撮像記録装置。
【請求項４】
前記再生手段は、シャッター音、前記音声データの順に再生を行うことを特徴とする請求項２に記載の撮像記録装置。
【請求項５】
前記再生手段は、前記検出手段が撮像指示部の半押しを検出した際に、前記音声データの再生を行うことを特徴とする請求項１に記載の撮像記録装置。
【請求項６】
撮像した画像に関連付ける音声データを選択する選択手段を更に有し、
前記選択手段は、前記検出手段によって撮像指示部の半押しを検出している間に、前記音声データを選択することを特徴とする請求項１に記載の撮像記録装置。
【請求項７】
撮像を指示する撮像指示部の操作を検出する検出工程と、
前記検出工程で検出した撮像指示部の押下に基づいて、撮像した画像に関連付ける音声データを再生する再生工程と、
前記画像を前記音声データと関連付けて記憶する記憶工程とを備えたことを特徴とする撮像記録方法。
【請求項８】
前記撮像指示部は、ボタン形状をしたシャッターボタンであることを特徴とする請求項７記載の撮像記録方法。
【請求項９】
前記再生工程は、シャッター音の代わりに前記音声データの再生を行うことを特徴とする請求項８に記載の撮像記録方法。
【請求項１０】
前記再生工程は、シャッター音、前記音声データの順に再生を行うことを特徴とする請求項８に記載の撮像記録方法。
【請求項１１】
前記再生工程は、前記検出工程が撮像指示部の半押しを検出した際に、前記音声データの再生を行うことを特徴とする請求項７に記載の撮像記録方法。
【請求項１２】
撮像した画像に関連付ける音声データを選択する選択工程を更に有し、
前記選択工程は、前記検出工程によって撮像指示部の半押しを検出している間に、前記音声データを選択することを特徴とする請求項７に記載の撮像記録方法。
【請求項１３】
請求項７乃至１２に記載の撮像記録方法をコンピュータに実行させるための制御プログラム。
【請求項１４】
請求項１３記載の制御プログラムを記憶したコンピュータ読み取り可能な記憶媒体。
【発明の詳細な説明】
【技術分野】
【０００１】
本発明は、撮像した画像に音声データを関連付けて記録することが可能な撮像記録装置にする。
【背景技術】
【０００２】
既存のデジタルカメラ等の撮像装置の中には、録音機能を備えたものがあり、音声を録音して、撮像した画像に関連づけて保存することができる。いろいろな活用方法が考えられるが、ここでは、後に写真を整理する際に参考にするための被写体に関するメモを録音する場合に注目する。以後、録音する音声を「音声メモ」と記す。
【０００３】
既存のデジタルカメラ等の撮像装置には、撮像した画像ごとにこのような音声メモを録音することができるものがある。撮像後、撮像した画像の再生中に音声メモを録音することによって画像に音声メモを関連付けることができる。特許文献１に開示されているように、撮像と同時に取得した音声データを撮像画像に関連付けるものもあれば、写真撮像に先立って、画像に関連付ける音声を録音し、撮像と同時にカメラに記録されている音声が画像に関連づけられるようになっているものもある。例えば、結婚式に出かける前に、一度「○○さんの結婚式」と録音しておくと、再度録音しなおさない限り、以降に撮像した写真に「○○さんの結婚式」という音声メモが関連づけられる。結婚式や運動会など同一タイトルで何枚も写真をとるような場合は、このような機能は有効である。
【特許文献１】特開２００３−２８３９８７号公報
【発明の開示】
【発明が解決しようとする課題】
【０００４】
画像に関連付ける音声メモは簡単に確認できる方が望ましい。特にあらかじめ記憶してある音声メモを撮像と同時に画像に関連付ける場合は、間違った音声メモを付与しないように、あるいは間違った音声メモを付与した場合でもすぐに間違いと気づくように撮像前、あるいは撮像時に音声メモを確認する必要がある。同様に、撮像シーンに合わせて複数の音声メモを使い分ける場合や、しばらくぶりにカメラを使用する場合に、現在の音声メモの内容を忘れてしまったときなどに簡単にその内容を確認できると操作性が向上する。
【０００５】
しかしながら、既存のデジタルカメラ等の撮像装置では、音声メモの確認作業に数ステップの操作が必要で、音声メモ再生までに数ステップの操作が必要となる。一般にデジタルカメラ等のような小型機器では、操作性を考慮しつつも製造コストや設置スペースの観点から、階層メニューなどを用いて少ないボタンにいくつもの役割を割り当てる場合が多い。音声メモ再生に関しても、専用ボタンを設置すれば煩雑な操作は回避できるが、音声メモを使用しない使用者にとっては全く無用なボタンなので、上記の製造コストや設置スペースの観点から専用ボタン設置は現実的ではない。
【０００６】
本発明は、上記課題に鑑みてなされたものであって、音声メモ再生用の専用ボタンを設置することなく、簡単な操作で音声メモを再生するしくみを提供することを目的としている。
【課題を解決するための手段】
【０００７】
上記目的を達成するために本発明の撮像記録装置は以下のような特徴を備える。即ち、撮像指示部の操作を検出する検出手段と、前記検出手段で検出した撮像指示部の押下に基づいて、撮像した画像に関連付ける音声データを再生する再生手段と、前記画像を前記音声データと関連付けて記憶する記憶手段とを備えたことを特徴とする。
【０００８】
また、上記目的を達成するために本発明の撮像記録方法は以下のような特徴を備える。即ち、撮像指示部の操作を検出する検出工程と、前記検出工程で検出した撮像指示部の押下に基づいて、撮像した画像に関連付ける音声データを再生する再生工程と、前記画像を前記音声データと関連付けて記憶する記憶工程とを備えたことを特徴とする。
【発明の効果】
【０００９】
上述したように、本発明によれば、専用の再生ボタンを設置することなく、容易な操作で音声メモの確認ができる。
【発明を実施するための最良の形態】
【００１０】
以下、本発明の実施形態について、添付図面を参照して説明する。
【００１１】
（実施形態１）
図１は本発明の撮像装置の一実施形態であるデジタルカメラの概略構成を示すブロック図である。図１において、１０１は中央処理装置（ＣＰＵ）、１０２はＣＣＤなど撮像に必要な画像取得装置、１０３は制御メモリ（ＲＯＭ）、１０４はメモリ（ＲＡＭ）、１０５はコンパクトフラッシュ（登録商標）、ＳＤカードなどの画像データや音声データを保存する保存用メモリ、１０６は撮像指示部（シャッター）などの操作キー、１０７は液晶などの表示装置、１０８はマイクなどの音声入力装置、１０９はスピーカなどの音声出力装置、１１０はＵＳＢなど外部機器と接続するための外部接続インタフェース、１１１はデータバスである。
【００１２】
本実施形態のデジタルカメラを実現するための制御プログラムやその制御プログラムで用いるデータは、制御メモリ（ＲＯＭ）１０３に記録される。これらの制御プログラムやデータは、中央処理装置１０１の制御のもと、データバス１１１を通じて適宜メモリ１０４に取り込まれ、中央処理装置１０２によって実行される。
【００１３】
次に、以上の構成からなるデジタルカメラにおける本発明の撮像時の動作を図２のフローチャートを用いて説明する。まず、本実施例の動作を開始する時点で、一つ以上の音声データが保存用メモリ１０５に記録されており、複数の音声データがある場合には使用者の指示操作によって、画像に関連付ける音声データが一つ以上選択されているものとする。選択された音声データは、選択された時点で保存用メモリ１０５からメモリ１０４に読み出して置いても良い。
【００１４】
保存用メモリ１０５に記録される音声データは、音声入力装置１０８を介してデジタルカメラ本体で録音しても良いし、あらかじめＰＣなど別の機器で録音した音声データを保存用メモリ１０５に保存しておいても良い。また、外部接続Ｉ／Ｆを介してＰＣなど別の機器と接続し、別の機器に保存されている音声データをダウンロードして保存用メモリ１０５に記録してもよい。
【００１５】
以下、上述したように、画像に関連付ける音声データが一つ選択されている状態での本発明の動作について説明する。まず、画像取得装置１０２によって撮像された画像を表示装置１０７に表示し（Ｓ１０１）、撮像指示部（撮像指示部として以下ではシャッターを例にあげて説明するため、以下シャッターと記述する）が押されるまで待機する（Ｓ１０２）。
【００１６】
シャッターが押されると、画像に関連付ける音声データをメモリ１０４あるいは保存用メモリ１０５から読み出し、音声出力装置１０９を通じて出力を開始する（Ｓ１０３）。電子シャッター音を備えたデジタルカメラの場合は、電子シャッター音の代わりに音声メモを再生しても良いし、電子シャッター音、音声メモの順に再生するようにしてもよい。例えば、事前に「運動会」「徒競走」が音声データとして選択されている場合には、シャッター押下と同時に「運動会  徒競走」という音声データが再生される。電子シャッター音、音声メモの順に再生する場合には、「カシャッ（電子シャッター音）運動会  徒競走」となる。ここで、複数の音声データを再生する場合は、聞き取りやすいように適当な間隔で再生するようにしてもよい。シャッター押下と同時に、音声メモ再生処理と並行して画像取得装置１０２によって撮像された画像を所定の記録方式の画像データに変換する画像処理を行う（Ｓ１０４）。
【００１７】
次に、画像データとＳ１０３で再生した音声データとを関連付けて保存用メモリ１０５に記録する。画像データと音声データを関連付ける方法は、例えば、画像データ内に音声データを取り込む形で融合して一つのデータにしても良いし、他の方法でも構わない。例えば、画像データ、音声データの関連を管理する第三のデータを作成しても良いし、また、画像データをＤＡＴＡ００１．ｊｐｇ、音声データをＤＡＴＡ００１．ｗａｖという具合に拡張子のみ異なるファイル名にして拡張子のみ異なるファイルが関連しているものとして扱っても良い。
【００１８】
以上説明したように本発明のデジタルカメラでは、従来のデジタルカメラに備わっているシャッターボタンの押下に音声メモ再生の機能を割り当てるため、専用の再生ボタンを設置することなく、容易な操作で音声メモの確認ができる。シャッター押下と同時に、あるいは電子シャッター音に続いて音声メモを再生するため、誤った音声メモを関連付けてしまった場合にも撮像直後に気づくことができるという効果が期待できる。
【００１９】
（実施形態２）
実施形態１では、シャッター押下、すなわち撮像（画像取得）と共に音声メモの再生を行ったが、本実施形態では、実施形態１と同じ構成のデジタルカメラにおいて、画像取得前に簡単な操作で音声メモを再生できるようにする場合について説明する。
【００２０】
通常のカメラおよびデジタルカメラでは、シャッターボタン押下を二段階に分けて検出し、押し具合によって動作を変えるものが多い。例えば、オートフォーカスを備えたカメラでは、シャッターを半分程度押した場合（以下、「半押し」とする）に自動でピント合わせを行い、押し切った場合（以下、「全押し」とする）に撮像するというのが一般的である。
【００２１】
本実施形態のデジタルカメラでは、この二段階のシャッター押下動作のうち、半押し時に音声メモを再生する。以下、図３のフローチャートを用いて本発明の動作を説明する。なお、実施形態１と同様に、以下で説明する動作を行う前に、画像に関連付ける音声データが使用者によって選択されているものとする。
【００２２】
まず、実施形態１と同様に、画像取得装置１０２によって撮像された画像を表示装置１０７に表示し（Ｓ２０１）、シャッターが押されるまで待機する（Ｓ２０２）。シャッターが半押しされると、画像に関連付ける音声データをメモリ１０４あるいは保存用メモリ１０５から読み出し、音声出力装置１０９を通じて出力を開始する（Ｓ２０３）。ここで使用者がシャッターボタンを押すのをやめ、シャッターが解除されると（Ｓ２０４）、音声メモを再生中の場合（Ｓ２０５）は、再生を終了し（Ｓ２０６）、最初の状態（Ｓ２０１）に戻る。シャッター半押しの状態からシャッターが全押しされると（Ｓ２０７）、音声再生中の場合（Ｓ２０８）は音声メモの再生を終了し（Ｓ２０９）、画像取得装置１０２によって撮像された画像を所定の記録方式の画像データに変換する画像処理を行う（Ｓ２１０）。最後に、画像データとＳ２０３で再生した音声データとを関連づけて保存用メモリ１０５に記録する。
【００２３】
以上説明したように本発明のデジタルカメラでは、従来のデジタルカメラに備わっているシャッターボタンの半押し操作に音声メモ再生の機能を割り当てるため、専用の再生ボタンを設置することなく、容易な操作で音声メモの確認ができる。シャッター半押しと同時に音声メモを再生するため、撮像前に音声メモを確認することができ、誤った音声メモを関連付けるのを未然に防ぐことができる。また、半押し状態では画像は撮像されないので、音声メモの確認を気軽に行うことができる。
【００２４】
（実施形態３）
実施形態２において、シャッター半押しで音声メモを再生中に、音声メモの変更操作を可能にしたのが本実施形態である。この場合の動作は図４のフローチャートに従う。実施形態２との違いは、シャッター半押し中に、音声メモの変更操作を検出するＳ２１０と、変更操作を検出した場合に音声メモを選択する操作Ｓ２１１が新たに追加されている点である。
【００２５】
以下、実施形態２との相違点のみ説明する。シャッターボタンが半押しされた状態で、既存のボタン（例えばズーム操作用のボタン）が押される（Ｓ２０２）と、音声メモ選択（Ｓ２１１）に移行する。音声メモ選択の一例を図５を用いて説明する。図５において、３０１がデジタルカメラ、３０２はシャッターボタン、３０３はズームボタン、３０４は十字キー、３０５、３０６はボタン、３０７は液晶画面、３０８〜３１２はそれぞれ液晶中に表示されている内容を示している。
【００２６】
先に説明したように、シャッターボタンが半押しされた状態で、ズーム操作用のボタンが押されると、液晶画面３０７の表示が代わり、音声メモ選択モードに変わる。この実施形態では、液晶画面３０７に「音声メモ選択」と表示することで、音声メモ選択モードであることを示している。また、音声メモの一覧を記録されているファイル名で表示し、その時点で選択されている音声メモのファイル名の前に●を付与することで選択されている音声ファイルを示している。図５では、４つの音声ファイル「運動会．ｗａｖ」「徒競走．ｗａｖ」「ＳＯＵＮＤ００１．ｗａｖ」［ＳＯＵＮＤ００２．ｗａｖ］が記録されており、このうち●のついてる「運動会．ｗａｖ」（３０９）「徒競走．ｗａｖ」（３１０）が選択されていることを示している。使用者は十字キー３０４を上下に操作して、音声メモを選ぶ。この時、選ばれている音声メモのファイル名をハイライトしたり、音声メモを再生しても良い。図５では、背景色を変えることによって、「ＳＯＵＮＤ００１．ｗａｖ」という音声メモが選ばれている状態を示している。ここで、選ばれている音声メモを画像に関連付ける音声メモとして選択する場合はボタン３０５、逆に選択の解除（画像に関連づけなくする）場合はボタン３０６を押す。図５の状態で、ボタン３０５を押せば、「運動会．ｗａｖ」「徒競争．ｗａｖ」に加えて「ＳＯＵＮＤ００１．ｗａｖ」が新たに画像に関連付ける音声メモとして選択される。表示された中に所望の音声メモがなく、新たな音声メモを録音する場合は、十字キーで３１２の行に移動し、ボタン３０５を押すと録音が開始される。音声メモ選択を終了する場合は３１３の行に移動し、ボタン３０５を押す。
【００２７】
以上、説明したのは音声メモの選択方法の一例であり、ボタンの構成や表示方法、選択方法はこれに限るものではない。
【００２８】
また、半押しされた状態で音声情報の入力を受け付け、該音声情報を音声メモとして付与するような構成としても構わない。
【００２９】
以上のようにして画像に関連付ける音声メモを更新した後のＳ２０４以降の処理は実施形態２と同様であるので説明を省略する。
【００３０】
以上説明したように本発明のデジタルカメラでは、従来のデジタルカメラに備わっているシャッターボタンの半押し操作に音声メモ再生の機能を割り当てるため、専用の再生ボタンを設置することなく、容易な操作で音声メモの確認ができる。また、半押し中に所定の操作により、画像に関連付ける音声メモを変更することができるため、再生された音声メモを聞いて音声メモを変更したい場合に、すぐに音声メモの変更が可能であり、操作性が向上する。
【００３１】
（他の実施形態）
以上説明した実施形態１〜３の音声メモの再生は、音声メモの内容を覚えている場合には煩わしい場合があるので、音声メモの再生のオン／オフをできるようにしておいてもよい。
【００３２】
以上説明した実施形態では、デジタルカメラを例にあげて説明したが本発明はこれに限られるものではなく、実施形態１については撮像機能を持つ携帯電話等でも実現できる。また携帯電話等で半押し機能を有していれば実施形態２、３についても実現可能である。
【００３３】
以上、本発明の実施形態を詳述したが、前述した実施形態の機能を実現するソフトウェアのプログラムを、システムあるいは装置に直接あるいは遠隔から供給し、そのシステムあるいは装置のコンピュータがその供給されたプログラムコードを読み出して実行することによっても達成される。その場合、プログラムの機能を有していれば、その形態はプログラムである必要はない。
【００３４】
従って、本発明の機能処理をコンピュータで実現するために、そのコンピュータにインストールされるプログラムコード自体およびそのプログラムを格納した記憶媒体も本発明を構成することになる。つまり、本発明の特許請求の範囲には、本発明の機能処理を実現するためのコンピュータプログラム自体、およびそのプログラムを格納した記憶媒体も含まれる。
【００３５】
プログラムを供給するための記憶媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【図面の簡単な説明】
【００３６】
【図１】本発明の一実施形態でデジタルカメラの概略構成を示すブロック図である。
【図２】実施形態１のデジタルカメラの処理の流れを説明するフローチャートである。
【図３】実施形態２のデジタルカメラの処理の流れを説明するフローチャートである。
【図４】実施形態３のデジタルカメラの処理の流れを説明するフローチャートである。
【図５】実施形態３に関わる、音声メモを選択する様子を説明する図である。
【図１】
2006157327.tif 000003
【図２】
2006157327.tif 000004
【図３】
2006157327.tif 000005
【図４】
2006157327.tif 000006
【図５】
2006157327.tif 000007